(57)【要約】  電源線の絡みつきが発生せず、同時に使用が非常に便利なヘア美容電熱機器に係り、加熱部１０の一側締結部１４内側に、電源線２０のプラグ部２１が挿入装着された後、ストッパ部２３を締結して構成されるヘア美容電熱機器において、締結部１４には、回転自在に遊動する回転部３０を装着し、回転部３０には、加熱部１０を掛けておくことができる掛け部４０をさらに装着してなることを特徴とする。【選択図】図１
2018513767.tif 000002
【特許請求の範囲】
【請求項１】
加熱部１０の一側締結部１４内側に、電源線２０のプラグ部２１が挿入装着された後、ストッパ部２３を締結して構成されるヘア美容電熱機器において、
前記締結部１４には、回転自在に遊動する回転部３０を装着し、前記回転部３０には、前記加熱部１０を掛けておくことができる掛け部４０をさらに装着してなることを特徴とする使用が便利なヘア美容電熱機器。
【請求項２】
前記回転部３０は、前記締結部１４に挿入装着されるベースリング３１と、前記ベースリング３１の外周面に位置して回動される回転口３２と、前記回転口３２の位置を固定するスナップリング３３と、を含むことを特徴とする請求項１に記載の使用が便利なヘア美容電熱機器。
【請求項３】
前記回転口３２は、前記ベースリング３１及び電源線２０が貫通される貫通孔３２ｃと、掛け部４０の固定口４２が装着される装着口３２ｂと、を含む本体３２ａによって構成されたことを特徴とする請求項２に記載の使用が便利なヘア美容電熱機器。
【請求項４】
前記締結部１４には、前記回転部３０が位置するように案内する掛け突起１４ａと、スナップリング３３が嵌め込まれる掛け溝１４ｂと、が一定間隔を維持して形成されることを特徴とする請求項１に記載の使用が便利なヘア美容電熱機器。
【請求項５】
前記掛け部４０は、Ｕ字形の弾性ワイヤ４１と、前記弾性ワイヤ４１の一端に形成され、回転口３２の装着口３２ｂに装着固定される固定口４２と、を含むことを特徴とする請求項１に記載の使用が便利なヘア美容電熱機器。
【請求項６】
ベースリング３１、回転口３２及びスナップリング３３からなる回転部３０Ａを構成し、前記回転部３０Ａを電源線２０の先端部に位置するように構成するが、
前記電源線２０のプラグ部２１が位置する端部には、前記スナップリング３３が装着される固定溝２４が形成され、前記固定溝２４と一定距離離れた位置の電源線外周面には、前記回転口３２の位置を固定する固定突起２３をさらに形成してなることを特徴とする請求項１に記載の使用が便利なヘア美容電熱機器。
【請求項７】
加熱部１０の一側締結部１４内側に、電源線２０のプラグ部２１が挿入装着された後、ストッパ部２３を締結して構成されるヘア美容電熱機器において、
前記締結部１４には、回転自在に遊動する伸縮回転部６０を装着し、前記伸縮回転部６０には、前記加熱部１０を掛けておく掛け部４０をさらに装着するが、
前記掛け部４０は、前記伸縮回転部６０に一定間隔遊動自在に連結され、同時に電源線２０に付着固定されるか、あるいは離脱されるように構成してなることを特徴とする使用が便利なヘア美容電熱機器。
【請求項８】
前記伸縮回転部６０は、前記締結部１４に挿入装着されるベースリング３１と、前記ベースリング３１の外周面に位置して回動される伸縮回転口５０と、前記伸縮回転口５０の位置を定めるスナップリング３３と、を含むことを特徴とする請求項７に記載の使用が便利なヘア美容電熱機器。
【請求項９】
前記伸縮回転口５０は、本体５１の上端に形成され、ベースリング３１及び電源線２０が貫通される貫通孔５３と、前記本体５１内部の装着口５２に挿入され、一側が掛け部４０の弾性ワイヤ４１端部に連結される遊動部５４と、前記本体５１の一側に形成された開口孔５１ａ、スプリング５６、及び遊動部の案内孔５４ｂを貫通し、第２覆い５８に固定される案内バー５５と、前記遊動部５４の背面をカバーする第１覆い５７と、前記本体５１の背面をカバーする第２覆い５８と、から構成されたことを特徴とする請求項８に記載の使用が便利なヘア美容電熱機器。
【請求項１０】
前記掛け部４０は、Ｕ字形の弾性ワイヤ４１と、前記弾性ワイヤ４１に嵌め込み固定される固定部４５と、を含んでなることを特徴とする請求項７に記載の使用が便利なヘア美容電熱機器。
【請求項１１】
前記電源線２０には、接触部２５が突設され、前記接触部２５は、前記掛け部４０に形成された固定部４５と磁力によって付着または離脱されるように構成されることを特徴とする請求項７に記載の使用が便利なヘア美容電熱機器。
【請求項１２】
ベースリング３１、伸縮回転口５０及びスナップリング３３からなる伸縮回転部６０Ａを構成し、前記伸縮回転部６０Ａを電源線２０の先端部に位置するように構成するが、
前記電源線２０のプラグ部２１が位置する端部には、前記スナップリング３３が装着される固定溝が形成され、前記固定溝と一定距離離れた位置の電源線外周面には、前記伸縮回転口５０の位置を固定する固定突起２３をさらに形成してなることを特徴とする請求項７に記載の使用が便利なヘア美容電熱機器。
【請求項１３】
加熱部１０の一側締結部１４内側に、電源線２０のプラグ部２１が挿入装着された後、ストッパ部２３を締結して構成されるヘア美容電熱機器において、
前記締結部１４に連結される電源線２０の先端部には、電源線と一体にヘアアイロンを掛けておくことができる掛け部４０をさらに形成し、
前記電源線２０は、分岐部２６を介して、前記掛け部４０から離脱されながら電源線２７を形成するように構成されたことを特徴とする使用が便利なヘア美容電熱機器。
【請求項１４】
前記掛け部４０は、Ｕ字形でもって一定弾性を有する弾性ワイヤ４１によって構成されたことを特徴とする請求項１３に記載の使用が便利なヘア美容電熱機器。
【発明の詳細な説明】
【技術分野】
【０００１】
本発明は、ヘア美容電熱機器に係り、さらに詳細には、電源線の絡みつきが発生せず、同時に使用が非常に便利なヘア美容電熱機器に関する。
【背景技術】
【０００２】
周知のように、ヘア美容電熱機器は、カールアイロン（curling iron）、ヘアアイロン（hair straightener）やドライヤなどの総称であり、前記カールアイロンは、美容室でヘアウェーブを演出するときに使用する丸い形態になる機械であり、前記ヘアアイロンは、円筒状であるカールアイロンと異なり、ニッパのように構成され、ニッパ内側に装着された電熱板２枚を利用して、毛髪を真っ直ぐに伸ばす機能を遂行する電熱機器である。
【０００３】
ところで、かようなヘア美容電熱機器は、それらを利用した美容作業中、それらを使用しないとき、適切に保管するところがなく、片手で持っていなければならないか、あるいは他のところに置くときには、発熱状態が転移しないように、あらかじめ事前措置を取らなければならないというように、厄介であり、作業性が低下してしまうという問題点があった。
【発明の概要】
【発明が解決しようとする課題】
【０００４】
本発明は、前述の問題点を解決するために案出されたものであり、本発明の目的は、電源線の絡みつきが発生せず、同時に使用が非常に便利なヘア美容電熱機器を提供するところにある。
【課題を解決するための手段】
【０００５】
かような目的を達成するための本発明は、加熱部の一側締結部内側に電源線のプラグ部が挿入装着された後、ストッパ部を締結して構成されるヘア美容電熱機器において、前記締結部には、回転自在に遊動する回転部を装着し、前記回転部には、前記加熱部を掛けておくことができる掛け部をさらに装着してなることを特徴とする。
【０００６】
また、本発明によれば、前記回転部は、前記締結部に挿入装着されるベースリングと、前記ベースリングの外周面に位置して回動される回転口と、前記回転口の位置を固定するスナップリングと、を含むことを特徴とする。
【０００７】
また、本発明によれば、前記回転口は、前記ベースリング及び電源線が貫通される貫通孔と、掛け部の固定口が装着される装着口と、を含む本体から構成されたことを特徴とする。
【０００８】
また、本発明によれば、前記締結部には、前記回転部が位置するように案内する掛け突起と、スナップリングが嵌め込まれる掛け溝とが、一定間隔を維持して形成されることを特徴とする。
【０００９】
また、本発明によれば、前記掛け部は、Ｕ字形の弾性ワイヤと、前記弾性ワイヤの一端に形成され、回転口の装着口に装着固定される固定口と、を含むことを特徴とする。
【００１０】
また、本発明によれば、ベースリング、回転口及びスナップリングからなる回転部を構成し、前記回転部を電源線の先端部に位置するように構成するが、前記電源線のプラグ部が位置する端部には、前記スナップリングが装着される固定溝が形成され、前記固定溝と一定距離離れた位置の電源線外周面には、前記回転口の位置を固定する固定突起をさらに形成してなることを特徴とする。
【００１１】
また、本発明は、加熱部の一側締結部内側に、電源線のプラグ部が挿入装着された後、ストッパ部を締結して構成されるヘア美容電熱機器において、前記締結部には、回転自在に遊動する伸縮回転部を装着し、前記伸縮回転部には、前記加熱部を掛けておくことができる掛け部をさらに装着するが、前記掛け部は、前記伸縮回転部に一定間隔遊動自在に連結され、同時に電源線に付着固定されるか、あるいは離脱されるように構成してなることを特徴とする。
【００１２】
また、本発明によれば、前記伸縮回転部は、前記締結部に挿入装着されるベースリングと、前記ベースリングの外周面に位置して回動される伸縮回転口と、前記伸縮回転口の位置を定めるスナップリングと、を含むことを特徴とする。
【００１３】
また、本発明によれば、前記伸縮回転口は、本体の上端に形成され、ベースリング及び電源線が貫通される貫通孔と、前記本体内部の装着口に挿入され、一側が掛け部の弾性ワイヤ端部に連結される遊動部と、前記本体の一側に形成された開口孔、スプリング、及び遊動部の案内孔を貫いて第２覆いに固定される案内バーと、前記遊動部の背面をカバーする第１覆いと、前記本体の背面をカバーする第２覆いと、から構成されたことを特徴とする。
【００１４】
また、本発明によれば、前記掛け部は、Ｕ字形の弾性ワイヤと、前記弾性ワイヤに嵌め込み固定される固定部と、を含んでなることを特徴とする。
【００１５】
また、本発明によれば、前記電源線には、接触部が突設され、前記接触部は、前記掛け部に形成された固定部と磁力によって付着または離脱されるように構成されることを特徴とする。
【００１６】
また、本発明によれば、ベースリング、伸縮回転口及びスナップリングからなる伸縮回転部を構成し、前記伸縮回転部を電源線の先端部に位置するように構成するが、前記電源線のプラグ部が位置する端部には、前記スナップリングが装着される固定溝が形成され、前記固定溝と一定距離離れた位置の電源線外周面には、前記伸縮回転口の位置を固定する固定突起をさらに形成してなることを特徴とする。
【００１７】
また、本発明は、加熱部の一側締結部内側に、電源線のプラグ部が挿入装着された後、ストッパ部を締結して構成されるヘア美容電熱機器において、前記締結部に連結される電源線の先端部には、電源線と一体にヘアアイロンを掛けておくことができる掛け部をさらに形成し、前記電源線は、分岐部を介して、前記掛け部から離脱されながら電源線を形成するように構成されたことを特徴とする。
【００１８】
また、本発明によれば、前記掛け部は、Ｕ字形でもって一定弾性を有する弾性ワイヤから構成されたことを特徴とする。
【発明の効果】
【００１９】
かように、本発明は、電源線の絡みつきが発生せず、同時に美容作業が容易であるという長所を提供する。
【図面の簡単な説明】
【００２０】
【図１】本発明の第１実施形態によるヘア美容電熱機器の斜視図である。
【００２１】
【図２】本発明の第１実施形態によるヘア美容電熱機器の主要部分解斜視図である。
【００２２】
【図３】本発明の第１実施形態によるヘア美容電熱機器の使用状態図である。
【００２３】
【図４】本発明の第２実施形態によるヘア美容電熱機器の斜視図である。
【００２４】
【図５】本発明の第２実施形態によるヘア美容電熱機器の分解斜視図である。
【００２５】
【図６】本発明の第３実施形態によるヘア美容電熱機器の斜視図である。
【００２６】
【図７】本発明の第３実施形態によるヘア美容電熱機器の主要部分解斜視図である。
【００２７】
【図８】本発明の第３実施形態による伸縮回転口の分解斜視図である。
【００２８】
【図９】（ａ）及び（ｂ）は、本発明の第３実施形態による回転部の断面作動状態図である。
【００２９】
【図１０】本発明の第４実施形態によるヘア美容電熱機器の斜視図である。
【００３０】
【図１１】本発明の第５実施形態によるヘア美容電熱機器の斜視図である。
【００３１】
【図１２】本発明の第５実施形態によるヘア美容電熱機器の分解斜視図である。
【００３２】
【図１３】本発明の他の実施形態を示す図面である。
【発明を実施するための形態】
【００３３】
以下、添付された図面を参照し、本発明の望ましい実施形態についてさらに詳細に説明する
図１は、本発明の第１実施形態によるヘア美容電熱機器の斜視図であり、図２は、本発明の第１実施形態によるヘア美容電熱機器の主要部分解斜視図である。
【００３４】
図示されているように、本発明ヘア美容電熱機器は、加熱部１０の一側締結部１４内側に、電源線２０のプラグ部２１が挿入装着された後、ストッパ部２３を締結して構成されるヘア美容電熱機器において、前記締結部１４には、回転自在に遊動する回転部３０を装着し、前記回転部３０には、前記加熱部１０を掛けておくことができる掛け部４０をさらに装着してなるのである。
【００３５】
ここで、前記ヘア美容電熱機器は、ヘアアイロンを一例として挙げたものであり、前記加熱部１０は、ヒンジ部１３を介して、上部取っ手１１及び下部取っ手部１２がニッパ形態に構成され、前記上部取っ手１１及び下部取っ手部１２の内側には、電熱板が形成される。
【００３６】
前記回転部３０は、前記締結部１４に挿入装着されるベースリング３１と、前記ベースリング３１の外周面に位置して回動される回転口３２と、前記回転口３２の位置を固定するスナップリング３３と、を含む。
【００３７】
前記締結部１４には、前記回転部３０が位置するように案内する掛け突起１４ａと、前記スナップリング３３が嵌め込まれる掛け溝１４ｂとが、一定間隔を維持して形成される。
【００３８】
前記回転口３２は、前記ベースリング３１及び電源線２０が貫通される貫通孔３２ｃと、掛け部４０の固定口４２が装着される装着口３２ｂを含む本体３２ａと、から構成される。
【００３９】
前記掛け部４０は、Ｕ字形の弾性ワイヤ４１と、前記弾性ワイヤ４１の一端に形成され、前記回転口３２の装着口３２ｂに装着固定される固定口４２と、を含む。
【００４０】
かように構成された本発明第１実施形態によるヘア美容電熱機器の組み立て過程について述べる。
【００４１】
まず、前記回転口３２の装着口３２ｂには、掛け部４０の固定口４２を装着固定しておく。
【００４２】
そして、電源線２０を、ストッパ部２３、スナップリング３３、回転口３２及びベースリング３１を順次に貫通させた後、２等分されて分離される締結部１４の間にプラグ部２１を挿入装着して固定する。
【００４３】
その後、前記締結部１４に、ベースリング３１と、それに重なるように回転口３２の貫通孔３２ｃと、を挿入する。
【００４４】
このとき、ベースリング３１及び回転口３２の一側は、掛け突起１４ａに掛かり、他側で、掛け溝１４ｂにスナップリング３３を挿入固定し、前記回転口３２の位置を定める。
【００４５】
そして、前記ストッパ部２３を締結部１４に締結して組み立てを完成する。
【００４６】
かように構成された本発明ヘア美容電熱機器は、回転部３０の回転口３２が電源線２０を中心に回動自在になり、それに連動して掛け部４０も回転する。
【００４７】
従って、前記ヘア美容電熱機器は、図３でのように、ユーザが自分の腕に、掛け部４０を利用して掛けておくことができるようになり、使用が便利になる。
【００４８】
図４及び図５は、本発明の第２実施形態によるヘア美容電熱機器の斜視図及び分解斜視図である。
【００４９】
図示されているように、本発明ヘア美容電熱機器の第２実施形態によれば、ベースリング３１、回転口３２及びスナップリング３３からなる回転部３０Ａを、前記第１実施形態とは異なり、電源線２０の先端部に位置するように構成したものである。
【００５０】
従って、前記電源線２０のプラグ部２１が位置する端部には、前記スナップリング３３が装着される固定溝２４が形成され、前記固定溝２４と一定距離離れた位置の電源線外周面には、前記回転口３２の位置を固定する固定突起２３がさらに形成される。
【００５１】
従って、その組み立て及び構成について述べれば、電源線２０を、回転部３０Ａ及びストッパ部２３を貫通させた後、２等分されて分離される締結部１４の間にプラグ部２１を挿入装着して固定する。
【００５２】
その後、締結部１４にストッパ部２３を締結し、前記電源線の固定溝２４にスナップリング３３を装着する。
【００５３】
それにより、回転口３２の一側は、前記スナップリング３３によって固定され、他側は、電源線の固定突起２３によって位置が固定される。
【００５４】
以下、動作は、前記第１実施形態と同一である。
【００５５】
図６は、本発明の第３実施形態によるヘア美容電熱機器の斜視図であり、図７は、本発明の第３実施形態によるヘア美容電熱機器の主要部分解斜視図である。
【００５６】
図示されているように、本発明ヘア美容電熱機器の第３実施形態によれば、加熱部１０の一側締結部１４内側に、電源線２０のプラグ部２１が挿入装着された後、ストッパ部２３を締結して構成されるヘア美容電熱機器において、前記締結部１４には、回転自在に遊動する伸縮回転部６０を装着し、前記伸縮回転部６０には、前記加熱部１０を掛けておくことができる掛け部４０をさらに装着するが、前記掛け部４０は、前記伸縮回転部６０に一定間隔遊動自在に連結され、同時に電源線２０に付着固定されるか、あるいは離脱されるように構成してなるのである。
【００５７】
前記伸縮回転部６０は、前記締結部１４に挿入装着されるベースリング３１と、前記ベースリング３１の外周面に位置して回動される伸縮回転口５０と、前記伸縮回転口５０の位置を定めるスナップリング３３と、を含む。
【００５８】
前記伸縮回転口５０は、図８でのように、本体５１の上端に形成され、ベースリング３１及び電源線２０が貫通される貫通孔５３と、前記本体５１内部の装着口５２に挿入され、一側が掛け部４０の弾性ワイヤ４１端部に連結される遊動部５４と、前記本体５１の一側に形成された開口孔５１ａ、スプリング５６、及び遊動部の案内孔５４ｂを貫通し、第２覆い５８に固定される案内バー５５と、前記遊動部５４の背面をカバーする第１覆い５７と、前記本体５１の背面をカバーする第２覆い５８と、から構成される。
【００５９】
ここで、前記遊動部５４には、ワイヤ孔５４ａが形成され、前記弾性ワイヤ４１及び鉄心４３が挿入された後、結び目を介して固設される構造であり、第１覆い５７を付着させて仕上げる。
【００６０】
また、前記遊動部５４は、本体５１の一側に形成された案内バー５５及びスプリング５６の弾性力により、一定距離前後に遊動することができる構造を有する。
【００６１】
前記案内バー５５は、端は、前記第２覆い５８に形成されたリベット孔５８ａを貫通した後、リベッティング処理される。
【００６２】
前記掛け部４０は、Ｕ字形の弾性ワイヤ４１と、前記弾性ワイヤ４１に嵌め込み固定される固定部４５と、を含む。
【００６３】
前記固定部４５は、前記弾性ワイヤ４１が挿入される挿入孔４４が形成され、前記弾性ワイヤ４１に嵌め込まれた後、電源線２０に形成された接触部２５が位置した部位に固設される。
【００６４】
前記電源線２０には、一定位置に接触部２５が突設され、前記接触部２５は、前記掛け部４０に形成された固定部４５と付着または離脱される。
【００６５】
前記電源線２０の接触部２５や掛け部４０の固定部４５は、互いに異なる極性を有する磁性体成分を含む構造により構成されるか、あるいは、一方にのみ磁性体が構成され、他方には、それに付着する金属部材を含むように構成することもできる。
【００６６】
従って、前記電源線２０の接触部２５と、掛け部４０の固定部４５は、磁力によって互いに付着するように構成される。
【００６７】
かように構成される伸縮回転口５０及び掛け部４０は、ヘア美容電熱機器を腕に据え置かせないか、あるいは、使用時には、図６でのように、掛け部４０の固定部４５が、電源線２０の接触部２５に付着した状態を維持する。
【００６８】
このとき、状態は、図９（ａ）でのように、本体５１内部の案内バー５５に介在されたスプリング５６の弾性力により、遊動部５４が原位置状態を維持している。
【００６９】
かような状態で、ヘア美容電熱機器の掛け部４０を腕に据え置けば、ヘア美容電熱機器の自重により、図９（ｂ）でのように、遊動部５４が一定長進み、前記掛け部４０の固定部４５が、電源線２０の接触部２５から離脱する。
【００７０】
しかし、このとき、前記遊動部５４は、スプリング５６の反発弾性力を受け、その後、ヘア美容電熱機器が腕に据え置かれた状態で離脱し、使用状態に転換される瞬間には、ヘア美容電熱機器の自重がなくなりながら、前記スプリング５６の弾性復元力により、遊動部５４が原位置に戻りながら、前記電源線２０の接触部２５と、掛け部４０の固定部４５は、磁力によって互いに付着される。
【００７１】
かように、前記掛け部４０の固定部４５と、電源線の接触部２５との構成によれば、ヘア美容電熱機器を持って使用するときには、前記掛け部４０が電源線２０に付着することにより、ややもすると、掛け部４０が自由に遊動して作業を妨害するという問題点を防止し、腕に据え置いた場合には、掛け部４０が電源線２０から離脱し、自由に遊動することにより、腕にかかる荷重を低減させ、腕の便利な動きを行わせ、電源線の絡みつきや圧迫がないようにするのである。
【００７２】
図１０は、本発明の第４実施形態によるヘア美容電熱機器の斜視図である。
【００７３】
図示されているように、本発明ヘア美容電熱機器の第４実施形態によれば、ベースリング３１、伸縮回転口５０及びスナップリング３３からなる伸縮回転部６０Ａを、前記第３実施形態とは異なり、電源線２０の先端部に位置するように構成したものである。
【００７４】
従って、前記電源線２０のプラグ部２１が位置する端部には、前記スナップリング３３が装着される固定溝が形成され、前記固定溝と一定距離離れた位置の電源線外周面には、前記伸縮回転口５０の位置を固定する固定突起２３がさらに形成される。
【００７５】
従って、その組み立て及び構成について述べれば、電源線２０を、伸縮回転部６０Ａ及びストッパ部２３を貫通させた後、２等分されて分離される締結部１４の間にプラグ部２１を挿入装着して固定する。
【００７６】
その後、締結部１４にストッパ部２３を締結し、前記電源線の固定溝にスナップリング３３を装着する。
【００７７】
それにより、伸縮回転口５０の一側は、前記スナップリング３３によって固定され、他側は、電源線の固定突起２３によって位置が固定される。
【００７８】
以下、動作は、前記第３実施形態と同一である。
【００７９】
図１１及び図１２は、本発明の第５実施形態によるヘア美容電熱機器の斜視図及び分解斜視図である。
【００８０】
図示されているように、本発明ヘア美容電熱機器の第５実施形態によれば、加熱部１０の一側締結部１４内側に、電源線２０のプラグ部２１が挿入装着された後、ストッパ部２３を締結して構成されるヘア美容電熱機器において、前記締結部１４に連結される電源線２０の先端部には、電源線と一体にヘア美容電熱機器を掛けておくことができる掛け部４０をさらに形成し、前記電源線２０は、分岐部２６を介して、前記掛け部４０から離脱されながら電源線２７を形成するように構成される。
【００８１】
前記掛け部４０は、一定弾性を有する弾性ワイヤ４１で構成されるが、必ずしもそれに限定されるものではない。
【００８２】
かような構成によれば、ヘア美容電熱機器の作業時、美容師が、自分の腕に掛け部４０を利用して掛けておくことができるようになり、作業が便利であるという長所を提供する。
【００８３】
また、本発明は、前述のヘア美容電熱機器であるヘアアイロンだけでなく、図１３に図示されたヘアドライヤ７０にも適用可能であるということを当業者は留意しなければならない。
【図１】
2018513767.tif 000003
【図２】
2018513767.tif 000004
【図３】
2018513767.tif 000005
【図４】
2018513767.tif 000006
【図５】
2018513767.tif 000007
【図６】
2018513767.tif 000008
【図７】
2018513767.tif 000009
【図８】
2018513767.tif 000010
【図９（ａ）】
2018513767.tif 000011
【図９（ｂ）】
2018513767.tif 000012
【図１０】
2018513767.tif 000013
【図１１】
2018513767.tif 000014
【図１２】
2018513767.tif 000015
【図１３】
2018513767.tif 000016
【国際調査報告】
2018513767.tif 000017
2018513767.tif 000018
2018513767.tif 000019
2018513767.tif 000020